(57)【要約】 【課題】座布団の表面積を簡単に変えることができること。【解決手段】外側カバーに包まれ、第１スポンジ素材で環状枠に形成されていると共に該環状枠の内周面に凸状の嵌合部を有する外側弾性枠体と、一方、内側カバーに包まれ、第２スポンジ素材で座布団状に形成されていると共に、外周面に凸状嵌合部と着脱自在に摩擦嵌合する凹所状被嵌合部を有する内側弾性座布団本体とから成り、外側弾性枠体の凸状嵌合部と内側弾性座布団本体の凹所状被嵌合部は、全体的に面接触可能であり、内側弾性座布団本体に外側弾性枠体を嵌め込んだ時、外側弾性枠体を握って持ち上げても、面接触の摩擦抵抗により、内側弾性座布団本体が外側弾性枠体に保持されるクッション座布団。【選択図】  図３
2005230134.tif 000002
【特許請求の範囲】
【請求項１】
外側カバーに包まれ、ゆっくりと弾性復帰する第１スポンジ素材で環状枠に形成されていると共に、該環状枠の内周面に凸状の嵌合部を有する外側弾性枠体と、一方、内側カバーに包まれ、ゆっくりと弾性復帰する第２スポンジ素材で座布団状に形成されていると共に、該座布団状の外周面に前記凸状嵌合部と着脱自在に摩擦嵌合する凹所状被嵌合部を有する内側弾性座布団本体とから成り、前記外側弾性枠体の凸状嵌合部と内側弾性座布団本体の凹所状被嵌合部は、全体的に面接触可能であり、外側弾性枠体に内側弾性座布団本体を嵌め込んだ時、外側弾性枠体を握って持ち上げても、前記面接触の摩擦抵抗により、内側弾性座布団本体が外側弾性枠体に少なくとも一時的に保持されることを特徴とするクッション座布団。
【請求項２】
請求項１に於いて、外側弾性枠体と内側弾性座布団本体との摩擦嵌合は、外側弾性枠体の内周面が凹所状であるのに対して、内側弾性座布団本体の外周面が凸状であることを特徴とするクッション座布団。
【請求項３】
請求項１に於いて、外側弾性枠体及び内側弾性座布団本体のスポンジ素材は、低反発性ウレタンフォームであることを特徴とするクッション座布団。
【請求項４】
請求項１に於いて、外側弾性枠体の第１スポンジ素材は、内側弾性座布団本体の第２スポンジ素材よりも硬いことを特徴とするクッション座布団。
【請求項５】
請求項１に於いて、外側弾性枠体の外側カバーと内側弾性座布団本体の内側カバーは、色彩或いは模様がそれぞれ異なることを特徴とするクッション座布団。
【発明の詳細な説明】
【技術分野】
【０００１】
本発明は、座席、椅子、床面、畳などに敷かれるクッション座布団に関する。
【背景技術】
【０００２】
従来、クッションマットは、普通一般に袋状の布製カバーに矩形状のスポンジ、低反発性フォームなどが入っている。ところで、近年、ゆっくり沈みゆっくり戻ってくるスポンジ素材が医療用介護用品として寝具類（枕、ベッド、マット）、車椅子の座板などに利用されている。
【０００３】
「低反発」と「クッション又は座布団」のキーワードで調査すると、特許文献１、２などがヒットする。特許文献１は、外装生地の詰物として低反発性ウレタンフォームを使用したマットレスが開示されている。この低反発性ウレタンフォームは、人体の荷重が加わると、体位の凹凸に対応して緩やかに沈み、一方、荷重がなくなると、ゆっくり元の状態に戻るので、外観上見苦しさもない。したがって、特許文献２では、上部層、中間層、下部層に低反発性ウレタンフォームを利用したクッション装置が提案されている。さらに、特許文献３では、車椅子の座板等に低反発性ウレタンフォームや高反発性ウレタンフォームを利用したクッション構造が提案されている。
【０００４】
しかしながら、低反発性ウレタンフォームを利用した従来の用品は、寝具類や車椅子が多く、日常生活に於いて、普通一般に使用されている座布団に積極的に利用されていない。そこで、現在、面積の増減性、趣向性、軽量性、携帯性、介護性などに優れたクッション座布団の出現が要望されている。
【特許文献１】特開２００３−２３０４６２号公報
【特許文献２】特開２００３−１２５９０３号公報
【特許文献３】特開平９−５１９１８号公報
【発明の開示】
【発明が解決しようとする課題】
【０００５】
本発明は、座布団の表面積を簡単に変えることができることを目的とする。また、軽量でありかつ持ち運びも便利であることを目的とする。さらに、利用者の趣向に対応して、互いに色彩や模様が異なる外側弾性枠体と内側弾性座布団本体とを任意に組合せて意匠的効果を発揮させることができると共に、組合せが、簡単かつ自在であることを目的とする。加えて、座り心地が良く、見た目も見苦しくないことを目的とする。
【課題を解決するための手段】
【０００６】
本発明のクッション座布団は、外側カバーに包まれ、ゆっくりと弾性復帰する第１スポンジ素材で環状枠に形成されていると共に、該環状枠の内周面に凸状の嵌合部を有する外側弾性枠体と、一方、内側カバーに包まれ、ゆっくりと弾性復帰する第２スポンジ素材で座布団状に形成されていると共に、該座布団状の外周面に前記凸状嵌合部と着脱自在に摩擦嵌合する凹所状被嵌合部を有する内側弾性座布団本体とから成り、前記外側弾性枠体の凸状嵌合部と内側弾性座布団本体の凹所状被嵌合部は、全体的に面接触可能であり、外側弾性枠体に内側弾性座布団本体を嵌め込んだ時、外側弾性枠体を握って持ち上げても、前記面接触の摩擦抵抗により、内側弾性座布団本体が外側弾性枠体に少なくとも一時的に保持されることを特徴とする。
【発明の効果】
【０００７】
（１）座布団の表面積を簡単に変えることができる。
（２）軽量であり、かつ、持ち運びも便利である。特に、外側弾性枠体の嵌合部と内側弾性座布団本体の被嵌合部は、互いに全体的に面接触可能なので、一体的に弾性変形すると共に弾性復帰もする。また、外側弾性枠体を握って持ち上げても、面接触の摩擦抵抗により、内側弾性座布団本体が外側弾性枠体に少なくとも一時的に保持される。したがって、両者はバラバラにならないから、整頓に関しても実用的である。
（３）利用者の趣向に対応して、外側弾性枠体と内側弾性座布団本体とを任意に組合せることができる。また組合せが、簡単かつ自由自在である。
（４）利用者が座ると、体圧を分散して「押し潰れた状態」に弾性変位するので、座り心地が良い。一方、利用者が椅子から立ち上がると、材質自体の復元力により、次第に元の状態へと復帰するので、見た目も問題がない。
【発明を実施するための最良の形態】
【０００８】
以下、図１乃至図４に示す本発明を実施するための最良の形態（第１実施例）により説明する。
【０００９】
１は、事務用椅子の座板、ソファー等に敷くことができるクッション座布団である。このクッション座布団１は、円形又は多角形の環状外側弾性枠体２と、この外側弾性枠体２に自在に嵌脱する内側弾性座布団本体３とから成る。
【００１０】
まず、外側弾性枠体２について説明する。外側弾性枠体２は、図１で示すように外側カバー４に包まれている。外側カバー４の材質は、布、合成繊維等である。外側カバー４は材質如何によってはそれ自体により伸縮性を有する。
【００１１】
外側弾性枠体２は、ゆっくりと弾性復帰する第１スポンジ素材５で環状に形成されている。第１スポンジ素材（弾性層）５の一例としては、低反発性ウレタンフォームを用いている。第１スポンジ素材５の厚さは、例えば大人が片手で容易に握り締めることができる程度であるが、厚さは原則として限定するものではなく、視覚上、座布団の印象を与えることができる程度であれば良い。
【００１２】
しかして、本実施例の第１スポンジ素材５の形状は、図３で示すように、四角形の環状枠に形成され、該弾性層の環状枠の内周面の全体に凸状の嵌合部６が形成されている。この嵌合部６は、例えば断面弧状である。一方、第１スポンジ素材５の外周面の全体は、前記内周面とは逆に弧状の凹所７に形成されている。内外の弧状の曲率は同一である。第１スポンジ素材５は、外周面が凹所７に形成されているので、容易に弾性変形及び弾性復帰する。
【００１３】
次に、内側弾性座布団本体３について説明する。内側弾性座布団本体３も、図１で示すように内側カバー９に包まれている。内側カバー９の材質は、例えば布である。また内側弾性座布団本体３も、ゆっくりと弾性復帰する第２スポンジ素材（弾性層）１０で座布団状に形成されている。第２スポンジ素材１０も第１スポンジ素材５と同じく低反発性ウレタンフォームを用いている。
【００１４】
第２スポンジ素材１０の厚さは、第１スポンジ素材５と同様に視覚上、座布団の印象を与えることができる程度であれば良い。本実施例では、第１スポンジ素材５に第２スポンジ素材１０を嵌め込んだ際、両者の上面並びに下面は同一平面となる。つまり、両者は同じ厚さである。
【００１５】
しかして、第２スポンジ素材（弾性層）１０の形状は、図３で示すように、第１スポンジ素材５の開口部８の形状に対応して四角形の座布団状に形成されている。弾性層の内側弾性座布団本体３は、その肉厚外周面の全体に外側弾性枠体２の凸状嵌合部６と着脱自在に嵌合する凹所状被嵌合部１１を有する。
【００１６】
したがって、外側弾性枠体２の凸状嵌合部６と内側弾性座布団本体３の凹所状被嵌合部１１は、全体的に面接触可能であり、内側弾性座布団本体３に外側弾性枠体２を嵌め込んだ時、外側弾性枠体２を持ち上げても、前記面接触の摩擦関係により、内側弾性座布団本体３が即座に落下しないように外側弾性枠体２に保持される。ここで、「即座に落下しない」とは、内側弾性座布団本体が外側弾性枠体に少なくとも一時的に保持されることを意味する。
【００１７】
この点について敷衍すると、内側弾性座布団本体３に外側弾性枠体２を嵌め込んだ時、又は外側弾性枠体２に内側弾性座布団本体３を嵌め込んだ時に、両者は弾力的にぴったりと合体し、例えば外側弾性枠体２の左右の部位を適宜に握って外側弾性枠体２を持ち上げてもて内側弾性座布団本体３は即座に落下せず、外側弾性枠体２の握りの部分が上方ないし外方向に外拡変位して外側弾性枠体２の凸状嵌合部６の一部が内側弾性座布団本体３の凹所状被嵌合部１１の対応する部分から離れ、その結果、内側弾性座布団本体３の自重により、内側弾性座布団本体３のその余の凹所状被嵌合部１１が外側弾性枠体２の非握り部分の凸状嵌合部６を次第に滑動し、内側弾性座布団本体３が外側弾性枠体２から落下する。
【００１８】
したがって、外側弾性枠体２が、例えば硬質性の合成樹脂材で形成され、多少の弾性力を有していても、握りの部分は容易に外拡変位しないから、このような実施例の場合は除かれる。このように本実施例のクッション座布団１は、外側弾性枠体２を持っても内側弾性座布団本体３が直ぐには外れないので、軽量性、携帯性等に優れている。
【００１９】
ところで、本実施例に於いて、外側弾性枠体２と内側弾性座布団本体３との嵌合関係は、凸状に対して凹所状であるが、もちろん、外側弾性枠体２の環状内周面を凹所状にし、一方、内側弾性座布団本体３の外周面を凸状にしても良い。
【００２０】
また外側弾性枠体２の外側カバー４と内側弾性座布団本体３の内側カバー９は、色彩或いは模様がそれぞれ異なる。これは、意匠的な選択性を重視したからである。したがって、例えば内側カバー９の色彩或いは模様が異なる複数枚の内側弾性座布団本体３を用意すれば、所望の絵柄が描かれている内側弾性座布団本体３を外側弾性枠体２に自由に嵌め込むことができる。
【００２１】
上記構成に於いて、外側カバー４に包まれた外側弾性枠体２の開口部８に、所望の色彩或いは模様が施され内側カバー９に包まれた内側弾性座布団本体３を嵌め込むと、好きな絵柄を有するクッション座布団１が出来上がる。
【００２２】
両者２．３が嵌合した場合、クッション座布団１の内側カバー９の上面又は／及び下面には、例えばドクロの絵、富士山の絵、特定のキャラクター等美術の著作物が描かれている。また、前述したように、外側弾性枠体２の凸状嵌合部６と内側弾性座布団本体３の凹所状被嵌合部１１は、互いに摩擦抵抗可能状態に面接触している。
【００２３】
そこで、クッション座布団１を、例えば椅子の座板に載せて座る。第１及び第２スポンジ素材５．１０は、低反発性ウレタンフォームであるから、身体の重みがクッション座布団１に加わると、お尻の湾曲形状に応じて外側弾性枠体２及び内側弾性座布団本体３は弾性変位する。公知のように、低反発性ウレタンフォームは、反発弾性が非常に小さく、しかも、衝撃に対して吸収性を有する反面、荷重がなくなると、潰れた状態からゆっくりと弾性復帰する特質がある。したがって、図４で示すようにクッション座布団１に利用者の荷重（お尻の体圧）が加わると、重い部分に反発力が集中し難く、体圧を分散して「押し潰れた状態」に弾性変位し、一方、利用者が椅子から立ち上がると、次第に元の状態へと復帰する。
【実施例】
【００２４】
第１実施例の外側弾性枠体２の高さは６ｃｍ、枠幅は３ｃｍ、全体の幅は３５ｃｍ、全体の奥行は３５ｃｍ、中の開口部７は２９ｃｍである。内側弾性座布団本体３の高さは６ｃｍ、幅は３０ｃｍ、奥行は３０ｃｍである。外側弾性枠体２及び内側弾性座布団本体３の高さ、全体の幅等は任意に嵌合部の摩擦抵抗を考慮して任意に設計変更可能である。
【００２５】
また、第１実施例のクッション座布団１は、四角形型であるが、五角形型、六角形型などであっても良い。また、図５及び図６で示すように円形型のクッション座布団１Ａ（第２実施例）であっても良い。
【００２６】
さらに、外側弾性枠体２の第１スポンジ素材５は、内側弾性座布団本体３の第２スポンジ素材１０と同一の弾力性を有するもの（例えば軟質ウレタンフォーム、軟質ポリタンフォーム、低反発ウレタンフォーム、発砲ゴムなど）であるが、前記第１スポンジ素材５を第２スポンジ素材１０よりも硬い素材（例えばやや高い反発力を有するウレタンフォーム、発砲ゴムなど）であっても良い。このように構成しても前記第１実施例と同一の効果を得ることができる。
【産業上の利用可能性】
【００２７】
本発明は、座席、椅子、床面、畳などに敷かれるクッション座布団として利用される。
【図面の簡単な説明】
【００２８】
図１乃至図４は本発明の第１実施例を示す各説明図。図５及び図６は第１実施例の形態を設計変更した第２実施例の各説明図。
【図１】第１実施例の斜視からの概略説明図。
【図２】図１の２−２線断面図。
【図３】分解斜視図。
【図４】弾性変形及び弾性復帰の説明図。
【図５】第２実施例の斜視からの概略説明図。
【図６】分解斜視図。
【符号の説明】
【００２９】
１．１Ａ…クッション座布団、２…外側弾性枠体、３…内側弾性座布団本体、４…外側カバー、５…第１スポンジ素材、６…嵌合部、７…凹所、８…開口部、９…内側カバー、１０…第２スポンジ素材、１１…被嵌合部。
【図１】
2005230134.tif 000003
【図２】
2005230134.tif 000004
【図３】
2005230134.tif 000005
【図４】
2005230134.tif 000006
【図５】
2005230134.tif 000007
【図６】
2005230134.tif 000008